(57)【要約】【課題】限られた空間に飾ることができて、且つ正面から見たときには、通常の鏡餅のように自然な外観となる鏡餅包装具を提供する。【解決手段】餅収納部１１は碗状に成形されている。餅収納部１１は基端１２が開口している。餅収納部１１は基端１２から先端１３にかけて膨出されていて、先端の外観形状が鏡餅を模した形状に成形されている。餅収納部１１には基端１２から外方向に延びるフランジ部１５が形成されている。フランジ部１５には外周縁から中央に向けて延びる水引取付部としての切欠き１６が形成されている。【選択図】図１
2014031181.tif 000002
【特許請求の範囲】
【請求項１】
基端が開口され、該基端から先端に向けて膨出するように形成された碗状をなし、先端からの外観形状が鏡餅に模した形状に成形された餅収納部と、前記餅収納部の基端側に形成されたフランジ部とを備え、
前記フランジ部には、前記餅収納部の鏡餅に模した形状に沿って水引を取付ける水引取付部が形成されている鏡餅包装具。
【請求項２】
前記水引取付部は、前記フランジ部の周縁から前記餅収納部側へ向けて形成された切欠きである請求項１に記載の鏡餅包装具。
【発明の詳細な説明】
【技術分野】
【０００１】
本書に開示する技術は、鏡餅包装具に関するものである。
【背景技術】
【０００２】
鏡餅の容器としては、大型の下餅に小型の上餅を重ねた形状に模したものが知られている。この種の容器には、底部等に設けられた開口を介して軟化状態の餅や真空パック詰めの切り餅が充填され、充填後には、その開口がフィルム等で封止されている。また、特許文献１のような、鏡餅を縦半分にした形状を模した鏡餅容器が知られている。このような鏡餅容器では、鏡餅を飾る場所を確保することが難しい場合であっても、正面側からすれば、相応の大きさの鏡餅が飾られているかのように見せることができる。
【先行技術文献】
【特許文献】
【０００３】
【特許文献１】特開２０１２−５５１４号公報
【発明の概要】
【発明が解決しようとする課題】
【０００４】
ところで、鏡餅には水引による装飾を行うことがある。上記特許文献１の鏡餅容器について、鏡餅容器をパッケージに嵌め込んだ後、パッケージの上から水引を取付けることとしている。このように水引を取付けた場合、水引と鏡餅容器とが点接触するようになり、鏡餅容器の表面に沿わせて水引を配置するのは難しい。つまり、水引を所定長さ、鏡餅容器から離間するような状態で取付ける外なく、鏡餅容器に対する装飾としては不自然で、装飾効果の低減は避けられない。
【０００５】
本書に開示する技術は、上記実情に鑑みてなされたものであり、その目的は、限られた空間に飾ることができて、且つ正面から見たときには、通常の鏡餅のように自然な外観となる鏡餅包装具を提供することにある。
【課題を解決するための手段】
【０００６】
上記課題を解決するための鏡餅包装具としては、基端が開口され、該基端から先端に向けて膨出するように形成された碗状をなし、先端からの外観形状が鏡餅に模した形状に成形された餅収納部と、前記餅収納部の基端側に形成されたフランジ部とを備え、前記フランジ部には、前記餅収納部の鏡餅に模した形状に沿って水引を取付ける水引取付部が形成されている。上記構成によれば、餅収納部の外周に水引をフィットさせることができるため、餅収納部と水引とに一体感が与えられる。
【０００７】
また、鏡餅包装具の構成としては、前記水引取付部は、前記フランジ部の周縁から前記餅収納部側へ向けて形成された切欠きであることが好ましい。この構成によれば、切欠きによって水引が位置決めされる。
【発明の効果】
【０００８】
本書に開示する鏡餅包装具によれば、限られた空間に飾ることができて、且つ正面から見たときには通常の鏡餅のような自然な外観となる鏡餅包装具を提供することができる。
【図面の簡単な説明】
【０００９】
【図１】鏡餅包装具における鏡餅容器を示し、（ａ）はその正面図、（ｂ）はそのｂ-ｂ線断面図。
【図２】同鏡餅包装具における容器保持体の展開図。
【図３】同鏡餅包装具の装飾状態を示す斜視図。
【図４】同鏡餅包装具の装飾状態を示し、（ａ）はその正面側斜視図、（ｂ）はその背面側斜視図。
【発明を実施するための形態】
【００１０】
以下、本書に開示する鏡餅包装具の一実施形態について説明する。
図１（ａ）及び（ｂ）に示すように、鏡餅容器１は、餅を収納することができる餅収納部１１が中央に位置し、餅収納部１１の周囲にフランジ部１５が位置している。鏡餅容器１は合成樹脂製である。餅収納部１１は碗状に成形されている。餅収納部１１は基端１２が開口している。餅収納部１１は基端１２から先端１３にかけて膨出されていて、先端の外観形状が鏡餅を模した形状に成形されている。餅収納部１１には基端１２から外方向に延びるフランジ部１５が形成されている。フランジ部１５の外周形状は、正面視において長方形状である。フランジ部１５には外周縁から中央に向けて延びる水引取付部としての切欠き１６が形成されている。切欠き１６は正面視において左右一対、形成されている。それら切欠き１６は、その中央側が餅収納部１１の鏡餅形状のくびれ部分に隣接するようにそれぞれ切り欠かれている。切欠き１６は、その切欠き幅Ｌが外周側ほど大きく、中央側ほど小さくなっている。
【００１１】
図３に示すように、容器保持体２は、展開状態から組立状態に至らしめられると、鏡餅容器１が保持されることを可能にする部材である。容器保持体２は紙製である。図２に示すように、容器保持体２は、背面部２１、正面部２２、底面部２３が連設されるとともに、それぞれ折曲線Ｍに沿って折曲可能に形成されている。背面部２１、正面部２２、及び底面部２３は、同じ幅に形成されている。背面部２１は、正面部２２と同じ大きさの長方形状をなしている。背面部２１には平面視Ｕ字状をなす切断線Ｓが形成されている。切断線Ｓの基端は、それぞれ折曲線Ｍに接続されている。切断線Ｓの内側の領域は、切断線Ｓに沿ってＵ字状に切断されたときには吊下片２４として機能する。背面部２１には吊下孔２５が穿設されている。吊下孔２５は切断線Ｓによって囲まれる領域の先端側に位置している。背面部２１には幅方向に延びる切込線２６が形成されている。切込線２６は、背面部２１の正面部２２の反対側の端縁から所定長さＸだけ離間する位置に形成されている。
【００１２】
図３に示すように、正面部２２には餅収納部１１の通過を許容しつつ、フランジ部１５の通過を許容しない露出孔２７が穿孔されている。正面部２２の幅は、鏡餅容器１の幅よりも若干大きくなるように設定されている。正面部２２の両側縁には、それぞれ裏面部２８が連設されていて、折曲線Ｎに沿って折曲可能に形成されている。裏面部２８は、それぞれ正面部２２とは反対側の側縁に係合片２９を形成している。両係合片２９は、両裏面部２８が折曲線Ｎに沿って正面部２２の裏面側に折り曲げられたとき、互いに係合して、裏面部２８の折曲状態を保持する。
【００１３】
また、底面部２３は、背面部２１及び正面部２２が連設される方向の長さが上記所定長さＸと同じ長さに設定されている。底面部２３には正面部２２とは反対側の端縁から差込片３０が突設されていて、折曲線Ｍに沿って折曲可能に形成されている。差込片３０は、全体として、その幅が底面部２３の幅よりも小さくなっている。差込片３０は、基端から先端へ向けて一定の幅で形成されているとともに、先端は僅かに幅広に形成されている。差込片３０は、容器保持体２の組立状態においては、その先端が背面部２１の切込線２６に差し込まれて、容器保持体２の組立状態を維持する。
【００１４】
次に、本実施形態の作用について説明する。
鏡餅容器１の餅収納部１１に真空パック詰めされた切り餅を収納する。リング状に形成された水引を鏡餅容器１に装着する。このとき、水引がフランジ部１５の切欠き１６を通るようにする。水引は、正面側では、餅収納部１１の鏡餅形状のくびれ部分に沿って配置されて、水引として自然な装飾となる。水引は、裏面側では、餅収納部１１に収納された切り餅の飛び出しを抑制する。切欠き１６は、切欠き幅Ｌが中央側ほど小さくなっているため、水引が位置決めされる。
【００１５】
容器保持体２の正面部２２の露出孔２７に鏡餅容器１の餅収納部１１を通過させて嵌め入れる。フランジ部１５は正面部２２の裏面に当接する。裏面部２８はそれぞれ折曲線Ｎに沿って折り曲げられ、正面部２２の裏面側で係合片２９同士が係合されて裏面部２８の折曲状態が保持される。
【００１６】
図３に示すように、鏡餅包装具を起立させる場合には、差込片３０を折曲線Ｍで折り曲げつつ、切込線２６に差し込んで、背面部２１の端縁と底面部２３の端縁とが接するよう各面部を各折曲線Ｍに沿って折り曲げる。この場合、底面部２３が載置面となって、鏡餅包装具３の起立が可能となる。図４（ａ）及び（ｂ）に示すように、鏡餅包装具を吊下げる場合には、底面部２３を背面部２１の裏面側に折り曲げ、差込片３０を切込線２６に差し込んで、容器保持体２が全体として板状となるようにする。背面部２１の切断線Ｓに沿って吊下片２４を切断し、折曲線Ｍに沿って折り曲げると、吊下片２４の吊下孔２５を介した鏡餅包装具３の吊下げが可能となる。
【００１７】
次に、本実施形態の効果を列挙する。
（１）鏡餅容器１に対して水引を取付けることができる。容器保持体２に対して水引を取付けていた従来技術に比べ、水引を自然に装飾することができる。
【００１８】
（２）鏡餅容器１のフランジ部１５に切欠き１６が形成されている。この切欠き１６を介して水引を取付けることができるため、餅収納部１１の鏡餅形状に対して水引をフィットさせ、一体感を与えることができる。
【００１９】
（３）切欠き１６は、その切欠き幅Ｌが中央側ほど小さくなるように形成している。切欠き１６に水引を取付けた際には、水引が位置決めされやすい。
（４）鏡餅容器１は、容器保持体２に保持されると、起立状態、又は吊下状態に飾ることができる。
【００２０】
上記実施形態の構成は、次のように変更することも可能である。また、以下の変更例は適宜組み合わせて実施することも可能である。
・水引取付部として切欠き１６をフランジ部１５に形成したが、水引取付部の構成は、これに限定されない。たとえば、切込みをフランジ部１５に形成することで水引取付部として構成することも可能である。貫通孔をフランジ部１５に形成し、水引を貫通孔に挿通することで水引取付部として構成することも可能である。貫通孔の位置としては、上餅と下餅の境界線のくびれ部分に隣接していることが好ましい。水引取付部として、切欠き１６及び切込みといった組み合わせ構成や切込み及び貫通孔といった組み合わせ構成も可能である。
【００２１】
・切欠き１６の形状は、切欠き幅Ｌが中央側ほど小さくなるように形成したが、これに限定されない。たとえば、一定の切欠き幅Ｌをもって形成された切欠き１６であってもよい。
【００２２】
・一対の切欠き１６は、互いに同形状に切り欠かれているが、これに限定されず、互いに異なる形状に切り欠かれていてもよい。一対の切欠き１６は、餅収納部１１の縦中央線を基準に互いに対称となる位置に切り欠かれているが、これに限定されず、互いに非対称となる位置に切り欠かれていてもよい。いずれか一方の切欠き１６を省略することも可能である。
【００２３】
・フランジ部１５の外周形状を正面視において長方形状としたが、これに限定されない。たとえば、餅収納部１１の基端１２から一定幅をなすように形成してもよい。フランジ部１５は、餅収納部１１の基端１２に対して全周にわたって形成する必要はない。たとえば、餅収納部１１の基端における上方や下方のみに形成するようにしてもよい。
【００２４】
・餅収納部１１に対する餅の収納形態は真空パック詰めされた切り餅に限定されない。餅収納部１１に餅を充填し、基端１２においてフィルム封止することも可能である。餅の収納形態によっては、鏡餅容器１を、たとえば紙製とすることも可能である。
【００２５】
・フランジ部１５は餅収納部１１の基端１２から延びるように形成したが、この形成位置は特に限定されない。たとえば、基端１２から先端１３側へ所定長ずれた位置から外方へ延びるように形成してもよい。この場合、基端１２は、フランジ部１５の裏面側へ突出することになる。
【００２６】
・フランジ部１５に橙取付部を形成するようにしてもよい。装飾具として橙を設ける際には、安定して橙を取付けることができる。フランジ部１５に三方取付部を形成するようにしてもよい。装飾具として三方を設ける際には、安定して三方を取付けることができる。橙取付部及び三方取付部の具体的構成は、水引取付部の具体的構成と同様である。
【００２７】
・鏡餅容器１を容器保持体２に取付けることで鏡餅包装具を形成し、飾り付けることとしているが、容器保持体２を備えない形態でもよい。この場合、吊下げ用の孔を鏡餅容器１のフランジ部１５上部に設けたり、鏡餅容器１が自立可能となるような構成をフランジ部１５下部に設けたりすることも可能である。
【００２８】
上記記載から把握できる技術的思想を列挙する。
・前記水引取付部は、前記フランジ部の周縁から前記餅収納部へ向けて形成された切込みである。
【００２９】
・前記水引取付部は、前記フランジ部に形成された貫通孔であって、前記貫通孔は、前記餅収納部側に位置している。
・表面側に前記餅収納部を露出させるための貫通部を形成し、前記餅収納部を前記貫通部に貫通するように配置した場合には裏面に前記フランジ部が当接する容器保持体をさらに備えた。この構成によれば、容器保持体によって餅収納部が保持されるため、餅収納部の装飾形態を多様化させることができる。
【符号の説明】
【００３０】
１…鏡餅容器、１１…餅収納部、１２…基端、１３…先端、１５…フランジ部、１６…水引取付部としての切欠き。
【図１】
2014031181.tif 000003
【図２】
2014031181.tif 000004
【図３】
2014031181.tif 000005
【図４】
2014031181.tif 000006